(57)【要約】【課題】  小型化が可能であり、簡易な構造で信頼性を維持すること。【解決手段】  イジェクト機構２１は、接続対象物５１を排出するイジェクト部材２３と、前記接続対象物５１を付勢する弾性部材２９とを有し、前記イジェクト部材２３の係合部材６１は前記接続対象物５１の被係止部５１ａに係合する係止部６１ａと、前記弾性部材の荷重を受けるための当接部６１ｃとを有し、前記係合部材６１は前記イジェクト部材２３の回転軸６３により回転自在に保持されており、前記接続対象物５１の嵌合状態をロックするものであり、前記弾性部材２９は前記係止部６１ａを前記被係止部５１ａに向けて常時付勢している。【選択図】    図１
2006286579.tif 000002
【特許請求の範囲】
【請求項１】
ハウジングと、接続対象物を嵌合位置で接続し排出位置へ排出するよう前記ハウジングに設けたイジェクト機構を含むコネクタにおいて、
前記イジェクト機構は前記接続対象物と当接し前記接続対象物と共に移動するイジェクト部材と、該イジェクト部材を前記接続対象物の前記嵌合位置と前記排出位置とに維持するカム機構とを有し、
前記イジェクト部材は前記接続対象物に設けられている被係止部と係合する係止部を備えた係合部材を有し、
前記係合部材は前記イジェクト部材に設けた回転軸により回動可能に保持されておりかつ前記接続対象物の嵌合状態をロックするものであり、
前記接続対象物の排出方向に向けて前記係合部材を付勢する弾性部材をさらに有し、
前記弾性部材は前記係合部材の前記係止部を前記接続対象物の前記被係止部に向けて付勢していることを特徴とするコネクタ。
【請求項２】
請求項１記載のコネクタにおいて、前記係合部材は第１係合部材と、前記弾性部材により常時付勢されている第２係合部材との２部品からなり、前記第１係合部材は前記接続対象物の前記被係止部に入り込み係合する前記係止部と、前記弾性部材の荷重を受けるための第１当接部とを有することを特徴とするコネクタ。
【請求項３】
請求項２記載のコネクタにおいて、前記第２係合部材は前記第１当接部に当接している第２当接部を有することを特徴とするコネクタ。
【発明の詳細な説明】
【技術分野】
【０００１】
本発明は、接続対象物を電気的に接続させるためのコネクタに関する。
【背景技術】
【０００２】
従来技術としては、ＩＣやメモリなどを組み込んだカードが装着された状態からカードを無理やり取り出そうとしても、ハウジングなどを破壊することのないカード用コネクタがある。
【０００３】
このカード用コネクタは、カードを前後方向に挿抜可能に収容するハウジングと、ハウジング内において、カードと共に前身後退可能に設けられたイジェクターと、カードの装着位置でハウジングに対するイジェクターの動きを拘束可能な板ばねと、カードに係止することにより、イジェクターに対するカードの動きを拘束可能なスプリングと、カード及びイジェクターの前進に伴い、スプリングに対する弾性力が強まるように設けられた第２の板ばねとを有する。
【０００４】
カードのロック力の強弱は、スプリングに反力を利用することにより切り替えている（例えば、特許文献１を参照）。
【０００５】
また、従来技術としては、カードの位置によってカードを無理に引き抜こうとする力のロック機構への伝達を抑えるようにロック力をコントロールできるカード用のコネクタ装置がある。
【０００６】
このカード用のコネクタ装置は、スライダと、排出ばねと、ハート型カム溝、タンピンからなるスライダのロック機構と、スライダに設けた板ばねとを備えている。ハウジングには、メモリカードが排出方向に動かされようとするときに、板ばねの端部が係合する固定部が設けられている。
【０００７】
（例えば、特許文献２を参照）。
【０００８】
【特許文献１】特開２００３−２４３０９０号公報
【特許文献２】特開２００３−３０８９１０号公報
【発明の開示】
【発明が解決しようとする課題】
【０００９】
特許文献１におけるカード用コネクタでは、片持ち梁状の板ばねであるため、長い距離の弾性変形部分を必要とするので小型化が困難であるという問題がある。
【００１０】
また、板ばねの変位方向とスプリングとの当接部の移動方向とが直交しているため、傾斜面を利用した当接部にしなければプリング荷重を板ばねの荷重に変換できないのでスプリングのイジェクトバー内でのガタツキなどを考慮すると荷重の伝達量は複雑かつ不安定なものとなるという問題がある。
【００１１】
さらに、引用文献２におけるカード用のコネクタ装置では、カードの位置によってロック力をコントロールできるロック機構であるが、カードの位置によってロック機構自身を移動させ、ロック力をコントロールするために機構的なスペースをより多く必要とするので、小型化が困難でありかつ複雑な構造をようするため信頼性を維持することが困難であるという問題がある。
【００１２】
それ故に、本発明の課題は、小型化が可能であり、簡易な構造で信頼性を維持することができるコネクタを提供することにある。
【課題を解決するための手段】
【００１３】
本発明は、ハウジングと、接続対象物を嵌合位置で接続し排出位置へ排出するよう前記ハウジングに設けたイジェクト機構を含むコネクタにおいて、前記イジェクト機構は前記接続対象物と当接し前記接続対象物と共に移動するイジェクト部材と、該イジェクト部材を前記接続対象物の前記嵌合位置と前記排出位置とに維持するカム機構とを有し、前記イジェクト部材は前記接続対象物に設けられている被係止部と係合する係止部を備えた係合部材を有し、前記係合部材は前記イジェクト部材に設けた回転軸により回動可能に保持されておりかつ前記接続対象物の嵌合状態をロックするものであり、前記接続対象物の排出方向に向けて前記係合部材を付勢する弾性部材をさらに有し、前記弾性部材は前記係合部材の前記係止部を前記接続対象物の前記被係止部に向けて付勢していることを特長とすることを最も主要な特徴とする。
【発明の効果】
【００１４】
本発明のコネクタによれば、接続対象物の誤抜きを防ぐために、さらに接続対象物の嵌合時に接続対象物が容易に外れないように係合部材が備えられており、回転中心部と係止部とを確保することにより小型化が可能であり、弾性部材の品質を考慮する必要もないという利点がある。
【００１５】
また、本発明のコネクタによれば、回転を利用した係合部材であることから、弾性部材の荷重の損失も少なく単純な構造となり信頼性の高いコネクタを提供できる。
【００１６】
また、係合部材自身でロック力の強弱をコントロールする必要がなく、接続対象物の位置によってロック動作時の機構的条件が変動しないために単純で信頼性の高いコネクタを提供することができる。
【発明を実施するための最良の形態】
【００１７】
本発明のコネクタは、ハウジングと、接続対象物を嵌合位置で接続し排出位置へ排出するよう前記ハウジングに設けたイジェクト機構を含むコネクタにおいて、前記イジェクト機構は前記接続対象物と当接し前記接続対象物と共に移動するイジェクト部材と、該イジェクト部材を前記接続対象物の前記嵌合位置と前記排出位置とに維持するカム機構とを有し、前記イジェクト部材は前記接続対象物に設けられている被係止部と係合する係止部を備えた係合部材を有し、前記係合部材は前記イジェクト部材に設けた回転軸により回動可能に保持されておりかつ前記接続対象物の嵌合状態をロックするものであり、前記接続対象物の排出方向に向けて前記係合部材を付勢する弾性部材をさらに有し、前記弾性部材は前記係合部材の前記係止部を前記接続対象物の前記被係止部に向けて付勢していることにより実現した。
【実施例１】
【００１８】
図１は、本発明に係るコネクタの実施例１を示している。図２は、図１に示したコネクタを底面から見た状態を示している。図３は、図１に示したコネクタからカバーフレームを取り外した状態を示している。図４は、図３に示したカバーフレームを取り外した状態のコネクタを底面から見た状態を示している。
【００１９】
図１乃至図４を参照して、コネクタは、絶縁性のハウジング１１と、このハウジング１１をカバーするようにハウジング１１に取り付けられているカバーフレーム３１とを備えている。
【００２０】
ハウジング１１は、主板１３と、主板１３に設けられているイジェクト機構２１と、主板１３に設けられている複数の導電性コンタクト（信号用コンタクト）４１とを有している。
【００２１】
主板１３は、平板状の主板部１３ａと、主板部１３ａの嵌合・排出方向Ａ，Ｂ（図１に示した矢印を参照）に平行でありかつ嵌合・排出方向Ａ，Ｂを直交する幅方向の一方側に形成されている第１側板部１３ｃと、幅方向のもう一方側に形成されている第２側板部１３ｄと、嵌合方向Ａ側で一対の側板部間を接続しているブリッジ部１３ｆとを有している。
【００２２】
ハウジング１１とカバーフレーム３１との間には、図５に示す接続対象物としてのカード５１が嵌合方向Ａ及び排出方向Ｂで移動可能に収容されるスロット１７が形成されている。
【００２３】
イジェクト機構２１は、一方の第１側板部１３ｃの内側で嵌合・排出方向Ａ，Ｂへ延びている。イジェクト機構２１は、カード５１と当接しカード５１と共に移動しかつカード５１を排出するイジェクト部材２３と、イジェクト部材２３をカード５１の嵌合位置と排出位置とに維持するカム機構と、弾性部材２９とを有している。
【００２４】
図５乃至図８にも示したように、イジェクト部材２３内には、ロック部分となる第１係合部材６１及び第２係合部材７１との２部品が設けられている。第１係合部材６１は、カード５１の一方側辺に形成されている凹部形状の被係止部５１ａに入り込み係合するフック部分である係止部６１ａと、回転中心となる穴である軸部６１ｂと、弾性部材２９の荷重を受けるための第１当接部６１ｃとを有する。
【００２５】
係止部６１ａは、弾性部材２９の荷重によって軸部６１ｂを中心に係止部６１ａが回転することによって被係止部５１ａに嵌り込んだ状態を維持している。第１係合部材６１は、イジェクト部材２３に設けられている回転軸６３によりイジェクト部材２３に回転自在に保持されており、カード５１の嵌合状態をロックするものである。弾性部材２９は、第１係合部材６１の係止部６１ａをカード５１の被係止部５１ａに向けて常時付勢している。
【００２６】
第２係合部材７１は、イジェクト部材２３内に嵌合方向及び排出方向Ａ，Ｂへ移動可能に収容されている。第２係合部材７１は、略円板形状のフランジ部７１ａと、フランジ部７１ａから嵌合方向Ａへ延びている棒状部７１ｂとを有している。フランジ部７１ａは、第１係合部材６１の第１当接部６１ｃに当接している第２当接部７１ｃを有している。
【００２７】
棒状部７１ｂは、嵌合方向Ａの先端へ向かって先細り形状となっているテーパー面７１ｅが形成されている。弾性部材２９の排出方向Ｂにおける端部は、フランジ部７１ａに受け止められて、弾性部材２９の端部内に棒状部７１ｂが位置されている。
【００２８】
したがって、第１係合部材６１は、フランジ部７１ａの第２当接部７１ｃによって押されており、フランジ部７１ａが弾性部材２９によって排出方向Ｂへ常時付勢されている。
【００２９】
コンタクト４１は、ブリッジ部１３ｆに保持されている保持部４１ａと、保持部４１ａから主板部１３ａ側へ延びている接触部４１ｃと、保持部４１ａからブリッジ部１３ｆの外側へ延びている端子部４１ｅとを有している。
【００３０】
コンタクト４１の接触部４１ｃの自由端部は、ハウジング１１にカード５１が収容されて嵌合した際に、カード５１に設けられているカード接触部（図示せず）に接触する。
【００３１】
カム機構は、図３に示したように、イジェクト部材２３の内側部分に形成されているハート型溝形状のハートカム２５と、ハートカム２５に挿入されているカムフォロア２７とを有する。
【００３２】
複数のコンタクト４１は、嵌合・排出方向Ａ，Ｂを直交する幅方向で互いに間隔をもって並列して位置されている。端子部４１ｅは、ハウジング１１を搭載する図示しないプリント回路基板の導体パターンに半田によって半田付けされる部分である。
【００３３】
カバーフレーム３１は、主板部１３ａに対向している平板状のフレーム板部３３ａと、主板１３の第1及び第２側板部１３ｃ，１３ｄの外面にそれぞれ対向している一対の第１フレーム側板部３３ｃ、３３ｄと、ブリッジ部１３ｆの外面に対向している第２フレーム側板部３３ｆとを有している。
【００３４】
一対の第１フレーム側板部３３ｃ、３３ｄには、複数の係合穴３３ｇが形成されており、ハウジング１１の第１及び第２側板部１３ｃ，１３ｄの外面から突出するように形成されている複数の係合突起１３ｊに一対一に係合することによってハウジング１１とカバーフレーム３１とが一体に保持されている。
【００３５】
図５及び図６に示したように、第１係合部材６１の係止部６１ａは、カード５１の被係止部５１ａに嵌め込まれることでカード５１を容易に抜き取れないようにロックしている。
【００３６】
また、第１係合部材は、図７及び図８に示すように、イジェクト部材２３に回転可能に取り付けられており、第１当接部６１ｃにて第２係合部材７１から弾性部材２９の荷重を受けて回転軸６３を中心に回動することで、係止部６１ａがカード５１側に押し付けられる方向で維持されている。
【００３７】
図９に示すカード５１がハウジング１１から排出方向Ｂへ移動した排出状態で弾性部材２９が第１及び第２係合部材６１，７１に及ぼす荷重Ｆ１と、図１０に示すカード５１が嵌合状態している状態おいて弾性部材２９が第１及び第２係合部材６１，７１に及ぼす荷重Ｆ２とでは、Ｆ１≦Ｆ２の関係が成り立つ。このことにより、カード５１のロック力は、カード５１の「排出状態≦カード５１の嵌合状態」を成立することが可能となる。
【００３８】
図１１及び図１２に示すように、カード５１を抜き取る際には、第１係合部材６１の係止部６１ａがカード５１の被係止部５１ａを乗り越えるために回転中心を中心とした回動動作を行う。この際、弾性部材２９の反力により第２係合部材７１を介して第１係合部材６１の第１当接部６１ｃには、弾性部材２９の荷重が加わり、係止部６１ａがカード５１の被係止部５１ａを乗り上る方向とは反対方向に回転する反力が加わるため、第１係合部材６１の第１当接部６１ｃは弾性荷重をもって回転することができる。
【００３９】
なお、カード５１を挿入する際には、第１係合部材６１は、図１２に示した如く回転するため、カード５１の挿入ができる。
【００４０】
また、カード５１の排出状態において弾性部材２９の弾性荷重とカード５１の嵌合状態における弾性部材２９の弾性荷重にて強弱を設けることが可能であるため、カード５１の嵌合状態では強いロック力かつカード５１の排出状態では弱いロック力にコントロールすることが容易に実現する。
【産業上の利用可能性】
【００４１】
本発明は、ＳＩＭカード、ＳＤカードなどのＩＣカードを機器にコネクタを介して装着することにより、各種の機能拡張などを行うカード用コネクタとしての用途にも適用できる。
【図面の簡単な説明】
【００４２】
【図１】本発明に係るコネクタを示す斜視図である（実施例１）。
【図２】図１に示したコネクタを底面から見た状態を示した斜視図である。
【図３】図１に示したコネクタからカバーフレームを取り外した状態を示した斜視図である。
【図４】図３に示したカバーフレームを取り外した状態のコネクタを底面から見た状態を示した斜視図である。
【図５】図２に示したコネクタのハウジング及びカバーフレームを除いた状態で、カードの排出位置を示した斜視図である。
【図６】図５のイジェクト部材とカードの被係止部との係合状態を拡大して示した斜視図である。
【図７】図６に示したイジェクト部材を拡大して示した斜視図である。
【図８】図７に示したイジェクト部材の第１及び第２係合部材とカードの被係止部との係合状態を拡大して示した斜視図である。
【図９】図５に示したカードがハウジングから排出されている状態を示した平面図である。
【図１０】図５に示したカードがハウジングに嵌合している状態を示した平面図である。
【図１１】図１に示したカードがロックされるロック機構の動作原理を説明するためのカードの嵌合状態における一部の構成を示した平面図である。
【図１２】図１に示したカードがロックされるロック機構の動作原理を説明するためのカードの排出状態における一部の構成を示した平面図である。
【符号の説明】
【００４３】
１１    ハウジング
１３    主板
１３ａ    主板部
１３ｃ    第１側板部
１３ｄ    第２側板部
１３ｆ    ブリッジ部
２１    イジェクト機構
２３    イジェクト部材
２９    弾性部材
３１    カバーフレーム
４１    コンタクト
５１    カード
５１ａ    被係止部
６１    第１係合部材
６１ａ    係止部
６１ｂ    軸部
６１ｃ    第１当接部
６３    回転軸
７１    第２係合部材
７１ａ    フランジ部
７１ｂ    棒状部
Ａ    嵌合方向
Ｂ    排出方向
【図１】
2006286579.tif 000003
【図２】
2006286579.tif 000004
【図３】
2006286579.tif 000005
【図４】
2006286579.tif 000006
【図５】
2006286579.tif 000007
【図６】
2006286579.tif 000008
【図７】
2006286579.tif 000009
【図８】
2006286579.tif 000010
【図９】
2006286579.tif 000011
【図１０】
2006286579.tif 000012
【図１１】
2006286579.tif 000013
【図１２】
2006286579.tif 000014